(57)【特許請求の範囲】
【請求項１】
全体が編み組織からなるサポートソックスであって、
前記サポートソックスは、
タック編で編成された編地のコースに沿って延びる畦が形成されることにより、他の編み組織よりも厚さが増していて、着用者が足を接地した状態において、その着用者の荷重により前記畦が着用者の足の裏を上側へ押して刺激するタックサポートを足の底側に選択的に有し、
足の各指がそれぞれ挿入される５つの開口を足の甲側に区画し、着用状態において、着用者の足指の各間に引っ掛けられる紐状サポートを有しており、
前記タックサポートは、足の土踏まず部分に形成された土踏まずサポートを含み、
前記開口に対する、前記サポートソックスの足の底側には編み組織が編成されている、サポートソックス。
【請求項２】
前記タックサポートは、前記土踏まずサポートと一体的に形成され、前記土踏まずサポートから足の爪先側へ向かって、足の中指が挿入される前記開口の爪先側の周縁部まで突出した中指サポートをさらに含む、請求項１に記載のサポートソックス。
【請求項３】
前記中指サポートは、前記足の中指が挿入される前記開口の前記爪先側の周縁部が頂点となり、前記土踏まずサポートが裾となるように、前記土踏まずサポートから前記開口の前記爪先側の周縁部へ向かうに従ってその幅が徐々に狭まる山状に形成されている、請求項２に記載のサポートソックス。
【請求項４】
前記サポートソックスは、
前記紐状サポートの長手方向における甲側の端部において、４つの前記紐状サポートに跨るように編地のコースに沿って帯状に形成され、弾性糸を用いて編成されることにより、他の編み組織よりも高い伸縮性が付与された高伸縮部をさらに含む、請求項１〜３のいずれか一項に記載のサポートソックス。
【請求項５】
前記足の各指がそれぞれ挿入される５つの前記開口の甲側の端部が、同一のコースで形成されている、請求項４に記載のサポートソックス。
【請求項６】
全体が編み組織からなるサポートソックスであって、
前記サポートソックスは、
編み組織として、平編みで編成されたベース部およびタック編で編成されたタックサポート部を有し、
複数の部位として、少なくとも爪先部およびフート部を有し、
前記爪先部において、着用者の足の各指がそれぞれ挿入される５つの開口を足の甲側に区画し、着用者の足指の各間に引っ掛けられる紐状サポートを有しており、
前記タックサポート部は、編地のコースに沿って延びる畦によって内側に突出するものであり、
前記タックサポート部は、前記フート部における足の土踏まず部分に形成された土踏まずサポートを含み、
前記開口に対する、前記サポートソックスの足の底側には編み組織が編成されている、サポートソックス。
【請求項７】
前記タックサポート部は、前記土踏まずサポートと一体的に形成され、前記土踏まずサポートから足の爪先側へ向かって、足の中指が挿入される前記開口の爪先側の周縁部まで突出した中指サポートをさらに含む、請求項６に記載のサポートソックス。
【請求項８】
前記フート部の足の甲側には、着用者の足の甲を露出させる開口が形成されている、請求項６または７に記載のサポートソックス。
【請求項９】
前記サポートソックスは、
前記紐状サポートの長手方向における甲側の端部において、４つの前記紐状サポートに跨るように編地のコースに沿って帯状に形成され、弾性糸を用いて編成されることにより、他の編み組織よりも高い伸縮性が付与された高伸縮部をさらに含む、請求項６〜８のいずれか一項に記載のサポートソックス。
【発明の詳細な説明】
【技術分野】
【０００１】
本発明は、サポートソックス、より詳しくは、人の足にマッサージ効果を付与するサポートソックスに関する。
【背景技術】
【０００２】
近年、様々な機能が付与された靴下やサポータが注目されている。
たとえば、特許文献１は、中足関節部である第１中足骨骨頭部と第５中足骨骨頭部と、ゴムに絡ませながら織り込まれた強度の強い糸からなり、リスフラン関節部である第１中足骨基底部と第５中足骨基底部を固定し、足の横アーチ（中足関節部）と縦アーチ（リスフラン関節部）を形成するための締め付け部とを有する、外反母趾および内反小指矯正用靴下を開示している。
【０００３】
また、特許文献２は、ズレ防止ベルト、各種クッション材、および複数の係止用マジック（登録商標）ファスナを備え、外反母趾と内反小指の患部である親指と第２指間、第４指と第５指間を離すために、親指と第２指間の指間パットおよび第４指と第５指間の指間パットが設けられた、外反母趾および内反小指矯正用サポータを開示している。
【先行技術文献】
【特許文献】
【０００４】
【特許文献１】特開２００８−１６１３４４号公報
【特許文献２】特開２００７−１６７１８０号公報
【発明の概要】
【発明が解決しようとする課題】
【０００５】
先行技術文献として開示された特許文献１および２は、外反母趾対策の機能が付与された靴下やサポータであるが、たとえば、人の足を部分的に刺激してマッサージする機能が付与された靴下やサポータの需要も増加している。
本発明の目的は、足の指の間および土踏まずに対して、マッサージ効果を効果的に付与することができ、しかも簡単に製造することができるサポートソックスを提供することである。
【課題を解決するための手段】
【０００６】
上記目的を達成するための請求項１記載の発明は、全体が編み組織からなるサポートソックスであって、前記サポートソックスは、タック編で編成された編地のコースに沿って延びる畦が形成されることにより、他の編み組織よりも厚さが増していて、着用者が足を接地した状態において、その着用者の荷重により前記畦が着用者の足の裏を上側へ押して刺激するタックサポートを足の底側に選択的に有し、足の各指がそれぞれ挿入される５つの開口を足の甲側に区画し、着用状態において、着用者の足指の各間に引っ掛けられる紐状サポートを有しており、前記タックサポートは、足の土踏まず部分に形成された土踏まずサポートを含み、前記開口に対する、前記サポートソックスの足の底側には編み組織が編成されている、サポートソックスである。
【０００７】
このサポートソックスを履いた着用者は、各開口に足の指を１本ずつ挿入することにより、隣り合う開口を区画する各紐状サポートを足の指の各間にそれぞれ引っ掛けることができる。これにより、着用者は、足の爪先から甲を通って足首に向かう方向に引っ張られる紐状の紐状サポートの働きにより、足の指の間に対するマッサージ効果を得ることができる。
【０００８】
しかも、開口が足の甲側に区画されるように紐状サポートが形成されていて、開口の裏側（足の底側）には編み組織が編成されていることから、着用者が歩行する際に、接地するのは当該開口の裏側の編み組織であり、紐状サポートが接地されない。着用者の履き方により紐状サポートの一部が接地される場合もあるが、その場合でも、紐状サポートの端部が接地される程度で済む。そのため、歩行時に、地面の表面に沿う横方向の力がソックスに作用しても、紐状サポートが反対方向（足の爪先から底を通って踵に向かう方向）に引っ張られる力を軽減できるので、上記したマッサージ効果が軽減されてしまうことを防止することができる。また、開口の裏側が編み組織なので、履き心地もよい。
【０００９】
さらに、着用者が足を接地した際には、着用者の足と地面との間に挟まれた土踏まずサポートの畦が、着用者の土踏まずを刺激するので、これにより着用者は、土踏まずに対するマッサージ効果を得ることができる。
そして、このようなサポートソックスは、全体を横編機で編成する編み組織により形成し、部分的にタック編などを施すことにより、簡単に製造することができる。
【００１０】
また、請求項２記載の発明は、前記タックサポートは、前記土踏まずサポートと一体的に形成され、前記土踏まずサポートから足の爪先側へ向かって、足の中指が挿入される前記開口の爪先側の周縁部まで突出した中指サポートをさらに含む、請求項１に記載のサポートソックスである。
この構成によれば、着用者が足を接地した際に、足の５指のうち、中指の根元付近を局所的に中指サポートの畦で押すことができる。これにより、請求項１のマッサージ効果で解れた足の横アーチを、親指から小指にかけて中指付近で膨出するように、正常なアーチ形状に矯正することができ、指上げ足（浮き指）の緩和効果を得ることもできる。
【００１１】
また、請求項３記載の発明は、前記中指サポートは、前記足の中指が挿入される前記開口の前記爪先側の周縁部が頂点となり、前記土踏まずサポートが裾となるように、前記土踏まずサポートから前記開口の前記爪先側の周縁部へ向かうに従ってその幅が徐々に狭まる山状に形成されている、請求項２に記載のサポートソックスである。
この構成によれば、中指サポートの幅を、土踏まずサポートの幅から、中指の根元を局所的に押すために必要な幅に急激に狭めるのではなく、徐々に狭めているので、人が足の裏で感じる違和感を軽減することができ、良好な快適性を維持することができる。また、土踏まずサポートが着用者の土踏まずから多少ずれても、土踏まずサポート付近の中指サポートの幅が、土踏まずサポートよりも若干狭い程度であるため、土踏まずに対するマッサージ効果を十分発現することができる。
【００１２】
また、請求項４記載の発明は、前記サポートソックスは、前記紐状サポートの長手方向における甲側の端部において、４つの前記紐状サポートに跨るように編地のコースに沿って帯状に形成され、弾性糸を用いて編成されることにより、他の編み組織よりも高い伸縮性が付与された高伸縮部をさらに含む、請求項１〜３のいずれか一項に記載のサポートソックスである。
【００１３】
この構成によれば、帯状の高伸縮部の弾性力により、着用者の指の根元を締め付けることができる。この締め付けにより高伸縮部が足に固定されるので、足の爪先から甲を通って足首に向かう方向に引っ張られた紐状サポートの状態を維持することができる。その結果、マッサージ効果の持続性を向上させることができる。さらに、この締め付けにより、足の親指を外側に向ける方向に力を加えることができるので、外反母趾の症状の緩和効果を得ることもできる。
【００１４】
また、請求項５記載の発明は、前記足の各指がそれぞれ挿入される５つの前記開口の甲側の端部が、同一のコースで形成されている、請求項４に記載のサポートソックスである。
横編機では、編み組織の各コースに弾性糸を編み込む際には、足の甲側および足の底側の一部のウェールのみに弾性糸を挿入することはできない。したがって、足の各指がそれぞれ挿入される５つの開口の甲側の端部が同一のコースで形成されておらずバラツキがあると、高伸縮部を形成する際に、一部の開口のウェールにおいては、そのバラツキの差に相当するコース分、弾性糸を挿入することが困難である。その結果、その一部の開口を区画する紐状サポートに関しては、引張り力の持続性が他の紐状サポートよりも低くなる場合がある。
【００１５】
そこで、請求項５記載の発明によれば、足の各指がそれぞれ挿入される５つの開口の甲側の端部が同一のコースで統一されているので、全ての開口のウェールにおいて、甲側の端部を形成するコースの次のコースから弾性糸を同時に挿入することができる。その結果、全ての紐状サポートの引張り力の持続性を一定にすることができる。
また、請求項６記載の発明は、全体が編み組織からなるサポートソックスであって、前記サポートソックスは、編み組織として、平編みで編成されたベース部およびタック編で編成されたタックサポート部を有し、複数の部位として、少なくとも爪先部およびフート部を有し、前記爪先部において、着用者の足の各指がそれぞれ挿入される５つの開口を足の甲側に区画し、着用者の足指の各間に引っ掛けられる紐状サポートを有しており、前記タックサポート部は、編地のコースに沿って延びる畦によって内側に突出するものであり、前記タックサポート部は、前記フート部における足の土踏まず部分に形成された土踏まずサポートを含み、前記開口に対する、前記サポートソックスの足の底側には編み組織が編成されている、サポートソックスである。
また、請求項７記載の発明は、前記タックサポート部は、前記土踏まずサポートと一体的に形成され、前記土踏まずサポートから足の爪先側へ向かって、足の中指が挿入される前記開口の爪先側の周縁部まで突出した中指サポートをさらに含む、請求項６に記載のサポートソックスである。
また、請求項８記載の発明は、前記フート部の足の甲側には、着用者の足の甲を露出させる開口が形成されている、請求項６または７に記載のサポートソックスである。
また、請求項９記載の発明は、前記サポートソックスは、前記紐状サポートの長手方向における甲側の端部において、４つの前記紐状サポートに跨るように編地のコースに沿って帯状に形成され、弾性糸を用いて編成されることにより、他の編み組織よりも高い伸縮性が付与された高伸縮部をさらに含む、請求項６〜８のいずれか一項に記載のサポートソックスである。
【図面の簡単な説明】
【００１６】
【図１】本発明の一実施形態に係るサポートソックスの平面図である。
【図２】本発明の一実施形態に係るサポートソックスの底面図である。
【図３】本発明の一実施形態に係るサポートソックスの正面図である。
【図４】本発明の一実施形態に係るサポートソックスの背面図である。
【図５】本発明の一実施形態に係るサポートソックスの右側面図である。
【図６】図３のＡ−Ａ切断面における断面図である。
【図７】図１〜図６のサポートソックスの着用状態を右斜め上方から見た図である。
【図８】着用状態における爪先部の拡大図である。
【図９】図１〜図６のサポートソックスの着用状態を裏側から見た図である。
【図１０】図１〜図６サポートソックスの着用者の歩行状態を示す図である。
【図１１】弾性糸の挿入が困難な領域を説明するための図である。
【図１２】図１〜図６サポートソックスの変形例を示す図（右側面）である。
【図１３】図１〜図６サポートソックスの変形例を示す図（着用状態の図）である。
【発明を実施するための形態】
【００１７】
以下では、本発明の実施の形態を、添付図面を参照して詳細に説明する。
図１〜図６は、本発明の一実施形態に係るサポートソックス１を示す図であって、図１が平面図、図２が底面図、図３が正面図、図４が背面図、図５が右側面図、図６が図３のＡ−Ａ切断面における断面図である。なお、図１〜図６のサポートソックス１は、左右どちらの足にも使用することができる左右兼用タイプである。
【００１８】
本発明の一実施形態に係るサポートソックス１は、たとえば、スニーカーソックスであって、前後方向に対向する少なくとも前後一対の針床を有する横編機（たとえば、株式会社島精機製作所製「ＳＷＧ０６１Ｎ」）を用いて編成された編み組織からなる。
このサポートソックス１の編み組織は、縫製や接着剤により別々の編み組織からなる複数のパーツが継ぎ接ぎされて編成されたものではなく、当該サポートソックス１の複数の部位を編成する編み組織が互いに編みループで繋がって編成されており、平編（プレーン編）で編成されたベース部２と、タック編で編成されたタックサポート部３とを含んでいる。
【００１９】
ベース部２およびタックサポート部３は、本実施形態では、たとえば、ナイロン表糸（たとえば、東レ株式会社製「キュープ（登録商標）」など）およびＦＴＹ（Filament Twisted Yarn）裏糸（たとえば、旭化成株式会社製「ポリウレタン×ナイロン＝７０×７０」など）を用いて編成されている。
なお、用いられる糸の太さは、サポートソックス１の各部位に必要な伸縮性に応じて適宜のものを選択すればよい。たとえば、ナイロン表糸としては、７０Ｄ（デニール）の単糸を２本撚り合わせた双糸の３本使い（双糸３本を表糸として使用）、ＦＴＹ裏糸は７０／７０（７０Ｄ・ポリウレタン×７０Ｄ・ナイロン）程度の糸、後述するゴム裏糸としては、５６０Ｄ程度の芯糸（ポリウレタン）を７０Ｄ程度のカバリング糸（ナイロン）でダブルカバリングしたＤＣＹ（Double Covering Yarn）を選択することができる。
【００２０】
このような編み組織を有する当該サポートソックス１は、複数の部位として、履き口側から爪先側へ向かって順に、口ゴム部４、レッグ部５、踵部６、フート部７および爪先部８を一体的に有している。
口ゴム部４は、筒状に形成されており、この口ゴム部４の下端と連続して、レッグ部５が筒状に形成されている。
【００２１】
踵部６には、その編み組織を編成する際に生じるゴアライン９が左右両側に形成されている。ゴアライン９は、足の甲側において、レッグ部５とフート部７との境界（切替え位置）の目安となるものである。具体的には、足の甲側において、レッグ部５とフート部７との切替え位置は、左側のゴアライン９の甲側の端と、右側のゴアライン９の甲側の端とを結ぶコース（横方向の編み目列）によって設定されている。そして、当該コースよりも爪先側がフート部７の編み組織であり、その反対側がレッグ部５の編み組織である。
【００２２】
また、ゴアライン９は、フート部７の足甲部１０と足底部１１との境界の目安にもなっており、足甲部１０と足底部１１との境界は、両方のゴアライン９の甲側の端を通るウェール（縦方向の編み目列）によって設定されている。
フート部７の足甲部１０には、着用状態において着用者の足の甲を露出させる、踵から爪先へ向かう方向（以下、足長方向という。）に長手な略長方形状の開口１２が形成されている。
【００２３】
この開口１２は、たとえば、足長方向に直交する方向（以下、足幅方向という。）における足甲部１０の両端（足甲部１０と足底部１１との境界をなすウェール）からそれぞれ４〜１６ウェール目の両ウェール間の領域において、足の甲側におけるレッグ部５とフート部７との切替え位置をなすコースから爪先部８へ向かう方向に８〜１６コース分の編み組織が省略されることにより形成されている。
【００２４】
爪先部８は、着用者の爪先を覆うものではないが、サポートソックス１の先端に位置する部位であるため、この実施形態では、爪先部８と称している。
爪先部８には、足の各指がそれぞれ挿入される同一形状の５つの開口１３が足の甲側に形成されており、これらの開口１３を区画する紐状サポート１４が足幅方向に並べて合計４本形成されている。
【００２５】
紐状サポート１４の長さＬ１は、たとえば、２０〜４０コース分であり、幅Ｗ１は、たとえば、５〜２０ウェール分である。また、紐状サポート１４により区画される各開口１３は、たとえば、２０〜４０コース分および５〜２０ウェール分の編み組織が省略された部分である。なお、紐状サポート１４および開口１３の大きさは、サポートソックス１のサイズ（着用者の足の大きさ）に応じて適宜変更することが可能である。
【００２６】
４本の紐状サポート１４は、同じ長さＬ１（同じコース数）および同じ幅Ｗ１（同じウェール数）で形成されていることが好ましい。これにより、足の指の各間における紐状サポート１４による刺激を一定にすることができる。
また、４本の紐状サポート１４で区画される５つの開口１３は、足長方向における甲に近い側の端部１５が、たとえば、同一のコースで形成されていて、足幅方向における当該端部１５の位置が、同一直線状に揃っている。
【００２７】
足長方向においてフート部７の開口１２の爪先側端部と紐状サポート１４の甲側端部との間には、ベース部２およびタックサポート部３の他の編み組織よりも高い伸縮性が付与された高伸縮部１６が、５つの開口１３に跨るように、爪先部８の足の甲側の全ウェールにわたって帯状に形成されている。
この高伸縮部１６は、フート部７および紐状サポート１４と編み組織が連続している。すなわち、甲から爪先へ向かう方向において、フート部７の最終のコースの次のコースが高伸縮部１６の最初のコースであり、高伸縮部１６の最終のコースの次のコースが紐状サポート１４の最初のコースとなっている。
【００２８】
高伸縮部１６は、弾性糸を用いて編成されることにより高い伸縮性が付与されており、具体的には、たとえば、ナイロン表糸（たとえば、東レ株式会社製「キュープ（登録商標）」など）および弾性糸としてのゴム裏糸（たとえば、東レ・オペロンテックス株式会社製「ライクラ（登録商標）」、旭化成せんい株式会社製「ロイカ（登録商標）」など」を用いて編成されている。
【００２９】
また、ベース部２の他の部分の表糸および高伸縮部１６の表糸は、同じ材質および同じ太さのものであることが好ましい。両者に同じ表糸を用いることにより、サポートソックス１全体としての質感や触り心地などのばらつきをなくすことができる。
このような構成を有するサポートソックス１において、タックサポート部３は、フート部７および爪先部８に跨るように選択的に形成されている。
【００３０】
タックサポート部３は、タックの全ての表目が外側（接地する側）に出るように、かつ、タックの全ての裏目が内側（着用者の足に接する側）に出るように編成することにより、それぞれが編地のコースに沿って延び、内側に盛り上がる複数の畦１７を、足長方向においてタックサポート部３の一端から他端にかけて毎コース有している。すなわち、タックサポート部３が占める領域において、互いに隣り合う畦１７と畦１７との間には、平編で編成された編み組織が設けられていない。
【００３１】
そして、各コースに畦１７が形成されて内側に突出することにより、タックサポート部３の厚さは、平編で編成されたベース部２の厚さよりも厚くなっている。また、タックサポート部３の接地面は、タック編の表目が露出することにより、平編のベース部２に比べて固い質感となっている。
タックサポート部３を編成するときのタックの回数（タック編１コース編成するために編み針で保持するループ数）は、編み針の種類や糸の種類によって異なるが、たとえば、８〜１０回であり、晒し糸（染めなし）の糸の場合は１０回程度、染糸の場合は８回程度であることが好ましい。
【００３２】
フート部７および爪先部８に跨るタックサポート部３は、足の土踏まず部分に形成された土踏まずサポート１８と、土踏まずサポート１８と一体的に形成され、土踏まずサポート１８から足の爪先側へ向かって、足の中指が挿入される開口１３の爪先側の周縁部２２まで突出した中指サポート１９とを含む。
土踏まずサポート１８は、フート部７の足の底側において足幅方向全体にわたって長方形状に形成されている。土踏まずサポート１８の長さＬ２は、たとえば、１５〜３５コース分であり、幅Ｗ２は、たとえば、６０〜８０ウェール分である。なお、土踏まずサポート１８の大きさは、サポートソックス１のサイズ（着用者の足の大きさ）に応じて適宜変更することが可能である。
【００３３】
中指サポート１９は、土踏まずサポート１８よりも幅狭の長方形状に形成された裾部２０と、当該裾部２０の爪先側端部から、足の中指が挿入される開口１３の爪先側の周縁部２２へ向かうに従ってその幅が徐々に狭まる山状（三角形状）の山部２１とを含む。
裾部２０の長さＬ３は、たとえば、５〜２０コース分であり、幅Ｗ３は、たとえば、４０〜６０ウェール分である。なお、裾部２０の大きさは、サポートソックス１のサイズ（着用者の足の大きさ）に応じて適宜変更することが可能である。
【００３４】
一方、山部２１の長さＬ４は、たとえば、２５〜４５コース分であり、幅Ｗ４は、たとえば、４０〜６０ウェールから５〜１５ウェールへと、１コース爪先側に進むことにより、１〜６ウェール分ずつ減っている。なお、山部２１大きさは、サポートソックス１のサイズ（着用者の足の大きさ）に応じて適宜変更することが可能である。
次に、図７〜図１１を参照して、サポートソックス１の着用状態を説明するとともに、このサポートソックス１を履いたときの効果を説明する。
【００３５】
図７は、図１〜図６のサポートソックス１の着用状態を右斜め上方から見た図である。図８は、着用状態における爪先部８の拡大図である。図９は、図１〜図６のサポートソックス１の着用状態を裏側から見た図である。図１０は、図１〜図６サポートソックス１の着用者の歩行状態を示す図である。図１１は、弾性糸の挿入が困難な領域を説明するための図である。
【００３６】
図７〜図１０を参照して、このサポートソックス１を履いた着用者は、各開口１３に足の指を１本ずつ挿入することにより、隣り合う開口１３を区画する各紐状サポート１４を足の指の各間にそれぞれ引っ掛けることができる。これにより、着用者は、足の爪先から甲を通って足首に向かう方向に引っ張られる（図８の白抜き矢印参照）紐状の紐状サポート１４の働きにより、足の指の間に対するマッサージ効果を得ることができる。
【００３７】
しかも、図１、図３および図５等に示すように、開口１３が足の甲側に区画されるように紐状サポート１４が形成されていて、開口１３の裏側（足の底側）には編み組織２３が編成されていることから、図１０に示すように、着用者が歩行する際に、接地するのは当該開口１３の裏側の編み組織２３（ベース部２）であり、紐状サポート１４が接地されない。着用者の履き方により紐状サポート１４の一部が接地される場合もあるが、その場合でも、紐状サポート１４の端部が接地される程度で済む。
【００３８】
そのため、歩行時に、地面の表面に沿う横方向の力（横ズレの力）がソックスに作用しても、紐状サポート１４が反対方向（足の爪先から底を通って踵に向かう方向）に引っ張られる力を軽減できるので、上記したマッサージ効果が軽減されてしまうことを防止することができる。また、開口１３の裏側が編み組織２３なので、履き心地もよい。
さらに、図１０に示すように、着用者が足を接地した際には、着用者の足と地面との間に挟まれた土踏まずサポート１８の畦１７が、着用者の土踏まずを刺激するので（図１０の白抜き矢印参照）、これにより着用者は、土踏まずに対するマッサージ効果を得ることができる。
【００３９】
また、図９に示すように、着用者が足を接地した際に、足の５指のうち、中指の根元付近（図９のハッチング部）を局所的に中指サポート１９の畦１７で押すことができる。これにより、前述のマッサージ効果で解れた足の横アーチを、親指から小指にかけて中指付近で膨出するように、正常なアーチ形状に矯正することができ、指上げ足（浮き指）の緩和効果を得ることもできる。
【００４０】
また、図２に示すように、中指サポート１９の幅を、土踏まずサポート１８の幅Ｗ２から、中指の根元を局所的に押すために必要な幅に急激に狭めるのではなく、裾部２０で幅Ｗ３へと少し狭めた後、山部２１では、たとえば、１コース爪先側に進むことにより、１〜６ウェール分ずつ減るように幅Ｗ４を徐々に狭めている。そのため、人が足の裏で感じる違和感を軽減することができ、良好な快適性を維持することができる。
【００４１】
また、土踏まずサポート１８が着用者の土踏まずから多少ずれても、土踏まずサポート１８付近の中指サポート１９（裾部２０）の幅Ｗ３が、土踏まずサポート１８の幅Ｗ２よりも若干狭い程度であるため、土踏まずに対するマッサージ効果を十分発現することができる。
また、フート部７の開口１２の爪先側端部と紐状サポート１４の甲側端部との間に帯状の高伸縮部１６が形成されているので、図８に示すように、この高伸縮部１６の弾性力により、着用者の指の根元を締め付けることができる（図８の黒塗り矢印参照）。この締め付けにより高伸縮部１６が足に固定されるので、足の爪先から甲を通って足首に向かう方向に引っ張られた紐状サポート１４の状態を維持することができる。その結果、マッサージ効果の持続性を向上させることができる。
【００４２】
さらに、この締め付けにより、足の親指を外側に向ける方向に力を加えることができるので（図８のハッチング矢印参照）、外反母趾の症状の緩和効果を得ることもできる。
ところで、横編機では、編み組織の各コースに弾性糸を編み込む際には、足の甲側および足の底側の一部のウェールのみに弾性糸を挿入することはできない。したがって、図１１に示すように、足の各指がそれぞれ挿入される５つの開口１３の甲側の端部１５が同一のコースで形成されておらずバラツキがあると、高伸縮部１６を形成する際に、一部の開口１３のウェールにおいては、そのバラツキの差Ｄに相当するコース分、甲側の端部１５を形成するコースの次のコースから弾性糸を挿入することが困難である。その結果、その一部の開口１３を区画する紐状サポート１４に関しては、引張り力の持続性が他の紐状サポート１４よりも低くなる場合がある。
【００４３】
そこで、この実施形態によれば、足の各指がそれぞれ挿入される５つの開口１３の甲側の端部１５が同一のコースで統一されているので、全ての開口１３のウェールにおいて、甲側の端部１５を形成するコースの次のコースから弾性糸を同時に挿入することができる。その結果、全ての紐状サポート１４の引張り力の持続性を一定にすることができる。
さらに、フート部７の足甲部１０に、着用状態において着用者の足の甲を露出させる開口１２が形成されているので、この開口１２の部分に編み組織が形成されている場合よりも、紐状サポート１４の引張り力の分散を抑制することができる。その結果、足の爪先から甲を通って足首に向かう方向に引っ張られた紐状サポート１４の状態を維持することができる。また、着用者の足の甲と足底との間に適当な温度差を発生させることができるので、着用後の快適性にも優れる。
【００４４】
そして、この実施形態で説明したサポートソックス１は、全体を横編機で編成する編み組織により形成し、部分的にタック編などを施すことにより、簡単に製造することができる。
以上、本発明の実施形態を説明したが、本発明は、他の形態で実施することもできる。
たとえば、前述の実施形態では、スニーカーソックスを一例として採り上げたが、本発明は、たとえば、ひざ下丈のハイソックス、ひざ上丈のオーバーザニーソックス、太もも丈のストッキング、腰丈のタイツ、さらには、爪先部８、フート部７および口ゴム部４のみを有するつま先ソックスなど、各種形態に適用することができる。
【００４５】
また、たとえば、図１２に示すように、踵部６は省略されていてもよい。踵部６が省略されたサポートソックス１は、着用者が踵を露出させ、地面に対する踏ん張りが効くので、柔道、空手、踊りなどのスポーツ用途に好適である。一方、前述の実施形態で説明した踵部６があるタイプは、家庭で寛ぐときなどに好適である。その場合、弾性糸として比較的弱いものを用いれば、締め付けを軽減できるので、一層快適である。
【００４６】
また、タックサポート部３は、図１３に示すように、タックの表目および裏目が、外側（接地する側）および内側（着用者の足に接する側）に交互に出るように編成することにより、内側および外側に交互に盛り上がる複数の畦１７を有していてもよい。
また、着用者が足の裏で感じる感覚には個人差があるので、中指サポート１９は、山状でなく、たとえば、土踏まずサポート１８から足の中指が挿入される開口１３の爪先側の周縁部２２へ向かって延びる帯状であってもよい。このような形状であっても、着用者によっては違和感を覚えない場合もあるからである。
【００４７】
また、前述の実施形態では、ベース部２の編み組織は、平編により編成されているとしたが、たとえば、パール編やリブ編などであってもよい。
その他、特許請求の範囲に記載された事項の範囲で種々の設計変更を施すことが可能である。
【符号の説明】
【００４８】
１    サポートソックス
２    ベース部
３    タックサポート部
４    口ゴム部
５    レッグ部
６    踵部
７    フート部
８    爪先部
９    ゴアライン
１０  （フート部の）足甲部
１１  （フート部の）足底部
１２  （フート部の）開口
１３  （爪先部の）開口
１４  紐状サポート
１５  開口の端部
１６  高伸縮部
１７  畦
１８  土踏まずサポート
１９  中指サポート
２０  裾部
２１  山部
２２  （中指開口の）周縁部
２３  編み組織
【図１】
0005936025.tif 000002
【図２】
0005936025.tif 000003
【図３】
0005936025.tif 000004
【図４】
0005936025.tif 000005
【図５】
0005936025.tif 000006
【図６】
0005936025.tif 000007
【図７】
0005936025.tif 000008
【図８】
0005936025.tif 000009
【図９】
0005936025.tif 000010
【図１０】
0005936025.tif 000011
【図１１】
0005936025.tif 000012
【図１２】
0005936025.tif 000013
【図１３】
0005936025.tif 000014